(57)【要約】【課題】液々熱交換器を必要とせず、製造コストを低減することが可能で、しかも、使い勝手のよい浴用ミスト装置を提供する。【解決手段】ミスト運転を行わずに浴室２の暖房を行う場合は、浴室温度検出部ＴＨ３による検出温度が、暖房温度設定部での設定温度より高い温度を検出したとき、暖房用温水通流制御部１７が暖房用温水の通流を遮断し、浴室温度検出部での検出温度が、暖房温度設定部での設定温度より低い温度を検出したとき、暖房用温水通流制御部が暖房用温水の通流を維持し、ミスト運転を行いながら浴室の暖房を行う場合は、浴室温度検出部での検出温度が、ミスト用湯水温度検出部ＴＨ１による検出温度より高い温度を検出したとき、暖房用温水通流制御部が暖房用温水の通流を遮断し、浴室温度検出部での検出温度が、ミスト用湯水温度検出部での検出温度より低い温度を検出したとき、暖房用温水通流制御部が暖房用温水の通流を維持するようにする。【選択図】図１
2018076972.tif 000002
【特許請求の範囲】
【請求項１】
浴室に設置され、ミスト噴霧の開始を指令するミスト噴霧開始指令手段と、
ミスト用湯水をミスト状に噴出するミスト噴出手段と、
ミスト用湯水の温度を設定するミスト用湯水温度設定部を備え、ミスト用給湯管路を経由して、所定の温度に設定されたミスト用湯水を前記ミスト噴出手段に供給する給湯手段と、
前記ミスト噴霧開始指令手段の操作によって、前記ミスト用湯水を前記ミスト噴出手段からミスト状に噴出するミスト運転を実行する制御部とを備えた浴用ミスト装置であって、
前記給湯手段から供給され、前記ミスト用給湯管路を通流する前記ミスト用湯水の温度を検出するミスト用湯水温度検出部と、
暖房用温水供給用熱源機から供給される暖房用温水の通流によって、前記浴室から吸い込んだ空気を温風用熱交換器にて加熱し、得られる温風を前記浴室内に吹き出して前記浴室を所定の暖房設定温度に暖房する浴室暖房部と、
前記浴室から吸い込んだ空気の温度を検出する浴室温度検出部と、
前記暖房用温水の通流を制御する暖房用温水通流制御部と、
前記所定の暖房設定温度を設定する暖房温度設定部と、
前記所定の暖房設定温度を表示する暖房温度表示部と、を備え、
（ａ）前記ミスト運転を行わずに前記浴室の暖房を行う場合は、
前記浴室温度検出部による検出温度が、前記暖房温度設定部において設定された温度より高い温度を検出したときに、前記暖房用温水通流制御部が前記暖房用温水の通流を遮断し、
前記浴室温度検出部による検出温度が、前記暖房温度設定部において設定された温度より低い温度を検出したときに、前記暖房用温水通流制御部が前記暖房用温水の通流を維持し、
（ｂ）前記ミスト運転を行いながら浴室の暖房を行う場合は、
前記浴室温度検出部による検出温度が、前記ミスト用湯水温度検出部において検出される温度より高い温度を検出したときに、前記暖房用温水通流制御部が前記暖房用温水の通流を遮断し、
前記浴室温度検出部による検出温度が、前記ミスト用湯水温度検出部において検出される温度より低い温度を検出したときに、前記暖房用温水通流制御部が前記暖房用温水の通流を維持するように構成されていること
を特徴とする浴用ミスト装置。
【請求項２】
前記ミスト運転を行わずに浴室の暖房を行う場合は、前記暖房温度表示部に前記暖房温度設定部による設定温度情報を表示し、
前記ミスト運転を行いながら浴室の暖房を行う場合は、前記暖房温度表示部に前記ミスト用湯水温度検出部において検出される温度情報を表示すること
を特徴とする請求項１記載の浴用ミスト装置。
【請求項３】
前記設定温度情報が、前記暖房温度設定部による設定温度の温度範囲と対応した記号による情報であることを特徴とする請求項２記載の浴用ミスト装置。
【請求項４】
前記ミスト用湯水温度検出部において検出される温度情報が、前記ミスト用湯水温度検出部において検出される温度の温度範囲と対応した記号による情報であることを特徴とする請求項２または３記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が普及するに至っている。
【０００３】
そのような浴用ミスト装置のひとつとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
この浴用ミスト装置を用いることにより、液々熱交換器において適切な温度に加熱された湯水を、ミスト噴出手段からミスト状に噴出させて、手軽にミスト浴を楽しむことが可能になり、有意義である。
【０００５】
また、特許文献１の浴用ミスト装置は、熱源手段から熱媒循環路を経て供給される熱媒により、浴室から吸い込んだ空気を加熱し、加熱された空気を浴室に吹き出して浴室を暖房する暖房機能を備えている。したがって、特許文献１の浴用ミスト装置を備えている場合、ミスト浴を楽しむとともに、快適な入浴を行うことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出され、使用者に不快感を与えることがないように構成されているが、給水路を通流する水を加熱するための液々熱交換器が必要であることから、製造コストの増大、構造の複雑化を招くという問題点がある。
【０００８】
本発明は、上記の課題を解決するものであり、液々熱交換器を必要とせず、製造コストを低減することが可能で、しかも、簡単に浴室の温度を制御することができて使い勝手のよい浴用ミスト装置を提供することを目的とする。
【課題を解決するための手段】
【０００９】
上記課題を解決するために、本発明の浴用ミスト装置は、
浴室に設置され、ミスト噴霧の開始を指令するミスト噴霧開始指令手段と、
ミスト用湯水をミスト状に噴出するミスト噴出手段と、
ミスト用湯水の温度を設定するミスト用湯水温度設定部を備え、ミスト用給湯管路を経由して、所定の温度に設定されたミスト用湯水を前記ミスト噴出手段に供給する給湯手段と、
前記ミスト噴霧開始指令手段の操作によって、前記ミスト用湯水を前記ミスト噴出手段からミスト状に噴出するミスト運転を実行する制御部とを備えた浴用ミスト装置であって、
前記給湯手段から供給され、前記ミスト用給湯管路を通流する前記ミスト用湯水の温度を検出するミスト用湯水温度検出部と、
暖房用温水供給用熱源機から供給される暖房用温水の通流によって、前記浴室から吸い込んだ空気を温風用熱交換器にて加熱し、得られる温風を前記浴室内に吹き出して前記浴室を所定の暖房設定温度に暖房する浴室暖房部と、
前記浴室から吸い込んだ空気の温度を検出する浴室温度検出部と、
前記暖房用温水の通流を制御する暖房用温水通流制御部と、
前記所定の暖房設定温度を設定する暖房温度設定部と、
前記所定の暖房設定温度を表示する暖房温度表示部と、を備え、
（ａ）前記ミスト運転を行わずに前記浴室の暖房を行う場合は、
前記浴室温度検出部による検出温度が、前記暖房温度設定部において設定された温度より高い温度を検出したときに、前記暖房用温水通流制御部が前記暖房用温水の通流を遮断し、
前記浴室温度検出部による検出温度が、前記暖房温度設定部において設定された温度より低い温度を検出したときに、前記暖房用温水通流制御部が前記暖房用温水の通流を維持し、
（ｂ）前記ミスト運転を行いながら浴室の暖房を行う場合は、
前記浴室温度検出部による検出温度が、前記ミスト用湯水温度検出部において検出される温度より高い温度を検出したときに、前記暖房用温水通流制御部が前記暖房用温水の通流を遮断し、
前記浴室温度検出部による検出温度が、前記ミスト用湯水温度検出部において検出される温度より低い温度を検出したときに、前記暖房用温水通流制御部が前記暖房用温水の通流を維持するように構成されていること
を特徴としている。
【００１０】
本発明の浴用ミスト装置においては、
前記ミスト運転を行わずに浴室の暖房を行う場合は、前記暖房温度表示部に前記暖房温度設定部による設定温度情報を表示し、
前記ミスト運転を行いながら浴室の暖房を行う場合は、前記暖房温度表示部に前記ミスト用湯水温度検出部において検出される温度情報を表示すること
が好ましい。
【００１１】
また、前記設定温度情報が、前記暖房温度設定部による設定温度の温度範囲と対応した記号による情報であることが好ましい。
【００１２】
また、前記ミスト用湯水温度検出部において検出される温度情報が、前記ミスト用湯水温度検出部において検出される温度の温度範囲と対応した記号による情報であることが好ましい。
【発明の効果】
【００１３】
本発明の浴用ミスト装置は、上述のように構成されているので、液々熱交換器を必要とせず、製造コストを低減することが可能で、かつ、簡単に浴室の温度を制御することが可能な浴用ミスト装置を実現することができる。
【００１４】
すなわち、（ａ）ミスト運転を行わずに浴室の暖房を行う場合は、浴室温度検出部による検出温度が、暖房温度設定部において設定された温度より高い温度を検出したとき、暖房用温水通流制御部が暖房用温水の通流を遮断し、浴室温度検出部による検出温度が、暖房温度設定部において設定された温度より低い温度を検出したとき、暖房用温水通流制御部が暖房用温水の通流を維持し、（ｂ）ミスト運転を行いながら浴室の暖房を行う場合は、浴室温度検出部による検出温度が、ミスト用湯水温度検出部において検出される温度より高い温度を検出したとき、暖房用温水通流制御部が暖房用温水の通流を遮断し、浴室温度検出部による検出温度が、ミスト用湯水温度検出部において検出される温度より低い温度を検出したとき、暖房用温水通流制御部が暖房用温水の通流を維持するようにしているので、液々熱交換器が不要で、かつ、浴室温度検出部による検出温度に応じて、暖房用温水の通流の遮断と維持を行うことで、容易に浴室の温度を制御することが可能な浴用ミスト装置を提供することが可能になる。
【００１５】
また、ミスト運転を行わずに浴室の暖房を行う場合は、暖房温度表示部に暖房温度設定部による設定温度情報を表示し、ミスト運転を行いながら浴室の暖房を行う場合は、暖房温度表示部にミスト用湯水温度検出部において検出される温度情報を表示するようにした場合、使用者は、（ａ）ミスト運転を行わずに浴室の暖房を行う場合に、暖房温度設定部による設定温度情報を得ることができ、また、（ｂ）ミスト運転を行いながら浴室の暖房を行う場合は、暖房温度表示部によるミスト用湯水温度検出部において検出される温度情報を得ることができ、また、（ｃ）ミスト運転を行わずに浴室の暖房を行っている際に、ミスト運転を開始した場合も、ミスト用湯水温度検出部において検出される温度情報を得ることができる。
したがって、使用者は、浴用ミスト装置の使用状況に応じた的確な情報を得ることが可能になり、結果として、使い勝手のよい浴用ミスト装置を提供することができる。
【００１６】
また、設定温度情報を、暖房温度設定部による設定温度の温度範囲と対応した記号による情報とした場合、製造コストを低減することが可能になる。
【００１７】
また、ミスト用湯水温度検出部において検出される温度情報を、ミスト用湯水温度検出部において検出される温度の温度範囲と対応した記号による情報とした場合も、製造コストを低減することが可能になる。
【図面の簡単な説明】
【００１８】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室内用の操作器の正面図である。
【発明を実施するための形態】
【００１９】
以下、本発明の実施形態を示して、その特徴とするところをさらに詳しく説明する。
【００２０】
［実施形態］
この実施形態にかかる浴用ミスト装置は、図１〜３に示すように、ユニットバスなどの浴室２に設置されるミスト機能付浴室暖房乾燥機（以下、単に「浴室暖房乾燥機Ａ」という）として構成されている。
【００２１】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴を実行する機能を備えている。
【００２２】
また、この浴室暖房乾燥機Ａを浴室２に設置するにあたっては、例えば、図３に示すように、浴槽７の上方の、浴室２の天井８に設置される。
【００２３】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２４】
また、図１および図２に示すように、浴室暖房乾燥機本体９内には、温風用熱交換器１３および送風機１４（１４ａ，１４ｂ）が内装されている。
【００２５】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
なお、上述の熱源機（暖房用温水供給用熱源機）１６は、本発明の浴用ミスト装置における給湯手段を兼ねるように構成されている。
【００２６】
また、図１および図２に示すように、暖房用温水管路１５には温風用熱交換器１３への温水の供給を開閉する暖房用開閉弁である熱動弁（本発明の浴用ミスト装置における暖房用温水通流制御部）１７が設けられており、暖房用温水管路１５にはこの管路を流れる温水の温度を検出する暖房温水サーミスタＴＨ２が配設されている。
【００２７】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２８】
図１に示すように、この実施形態にかかる浴室暖房乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００２９】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３０】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００３１】
図２に示すように、ミストノズル４として、３．０リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状に噴霧される。
【００３２】
そして、２つのミストノズル４（４ａ，４ｂ）の両方から温水のミストを噴霧すると、ミスト用給湯管路２０に６．０リットル／ｍｉｎの温水が通流し「強」に相当するミスト量でミストが噴霧され、脱衣所用の操作器５に備える強ＬＥＤ３４ａ、および、浴室２内に設けた操作器３０に備える強ＬＥＤ１３４ａが点灯し、２つのミストノズル４ａ，４ｂの一方から温水のミストを噴霧すると、ミスト用給湯管路２０に３．０リットル／ｍｉｎの温水が通流し「弱」に相当するミスト量でミストが噴霧され、脱衣所用の操作器５に備える弱ＬＥＤ３４ｂ、および、浴室２内に設けた操作器３０に備える弱ＬＥＤ１３４ｂが点灯するように構成されている。
【００３３】
この実施形態にかかる浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３４】
ミスト用給湯管路２０には、本発明における給湯手段としても機能する熱源機１６から温水が供給されるように構成されており、入口側から順にストレーナ２２、給湯電磁弁（給水開閉弁）２３が設けられている（図１、図２）。ただし、図３においては、給湯配管の図示は省略している。
なお、ミスト用湯水を、熱源機１６とは別に配設された給湯手段から供給するように構成することも可能である。
【００３５】
因みに、浴室乾燥機の取扱説明書には、ミスト噴霧を行う場合の暖房温度（希望暖房温度）の設定は、給湯装置（を兼ねる熱源機１６）の出湯設定温度を設定することにより行われることが記載されており、給湯装置（熱源機１６）からは、浴室暖房についての希望暖房温度（暖房設定温度）の温水が供給されることになる。
【００３６】
なお、ミスト噴霧を行いながら浴室暖房を実行したとき、この浴室暖房によって浴室２内の温度が、給湯装置（熱源機１６）から供給されるミスト用湯水の温度に制御される点については後述する。
【００３７】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３８】
また、浴室暖房乾燥機Ａは、図３に示すように、浴室２外の脱衣所に設けた操作器５や浴室２内に設けた操作器３０にてリモコン操作されるように構成されている。
【００３９】
図５に示すように、脱衣所用の操作器５には、タイマー表示部３１、タイマー設定スイッチ３２、風向スイッチ３３、ミストサウナスイッチ（ミスト噴霧開始指令手段）３４、乾燥スイッチ６、暖房スイッチ３６、涼風スイッチ３７、換気スイッチ３８、停止スイッチ３９が設けられている。
【００４０】
また、図６に示すように、浴室用の操作器３０には、状態表示部４０、浴室内ミストサウナスイッチ（ミスト噴霧開始指令手段）１３４、浴室内ミストスイッチ４１、浴室内温度設定スイッチ(浴室内温度設定部）４２、浴室内暖房スイッチ１３６、浴室内涼風スイッチ１３７、浴室内風向スイッチ１３３、ミスト入浴時間計測用のストップウォッチのスタート／ストップスイッチ４３、リセットスイッチ４５、浴室内停止スイッチ１３９が設けられている。
なお、状態表示部４０には、使用状態により浴室内温度が表示されるように構成されており、この点において、状態表示部４０は浴室内温度表示部としても機能する。
【００４１】
なお、上述のようにミスト噴霧を行いながら浴室暖房を行う場合は、浴室暖房についての希望暖房温度（暖房設定温度）に給湯装置（を兼ねる熱源機１６）の出湯設定温度を設定するように指定されているが、ミスト噴霧を行わないで浴室暖房を実行するときのために、浴室用の操作器３０には、浴室暖房時において浴室内の温度を設定するための浴室内温度設定スイッチ４２が設けられている。
【００４２】
また、この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００４３】
また、図４は、浴室暖房乾燥機Ａの制御部Ｂの一例を示す図である。制御部Ｂには、メモリ２８、演算回路２９などが内蔵され、上記操作器５や浴室用操作器３０をリモコン操作することで制御部Ｂにて、以下に説明するような制御が行われるように構成されている。
【００４４】
＜特徴的構成＞
次に、この実施形態にかかる浴室暖房乾燥機Ａは、以下に説明するような特徴的な構成を備えている。そのため、この実施形態の浴室暖房乾燥機Ａを用いて、ミスト噴霧を行いながら浴室暖房を実行したとき、浴室２内の温度は、給湯装置（熱源機１６）から供給されるミスト用湯水の温度に制御される。
以下、説明を行う。
【００４５】
給湯装置（熱源機１６）は、供給する温水の温度を設定する温度設定部（図示せず）を備えている。つまり、本発明における給湯手段が、ミスト用湯水の温度を設定するミスト用湯水温度設定部を備えている。
【００４６】
制御部Ｂは、浴室温度サーミスタＴＨ３による検出温度（浴室から吸い込んだ空気の温度）が、ミスト温度サーミスタ（ミスト用湯水温度検出部）ＴＨ１で検出される温度より高いとき、本発明における暖房用温水通流制御部である暖房用開閉弁（熱動弁）１７を制御して暖房用温水管路１５を通流する暖房用温水の通流を遮断する。
【００４７】
また、制御部Ｂは、浴室温度サーミスタＴＨ３による検出温度（浴室から吸い込んだ空気の温度）が、ミスト温度サーミスタ（ミスト用湯水温度検出部）ＴＨ１で検出される温度より低いとき、本発明における暖房用温水通流制御部である暖房用開閉弁（熱動弁）１７を制御して暖房用温水管路１５を通流する暖房用温水の通流を維持する。
【００４８】
暖房用温水管路１５を通流する温水の温度は、通常、７０℃から８０℃程度に設定されているので、制御部Ｂが熱動弁（暖房用温水通流制御部）１７を制御して暖房用温水管路１５を通流する暖房用温水の通流を維持したときには、浴室２から吸い込まれた空気が温風用熱交換器１３によって加熱され、浴室２から吸い込まれた空気の温度が上昇して浴室２内に戻される。
【００４９】
また、制御部Ｂが暖房用開閉弁１７を制御して暖房用温水管路１５を通流する暖房用温水の通流を遮断したときには、浴室２から吸い込まれた空気は、温風用熱交換器１３によって加熱されず、浴室２から吸い込まれた空気の温度が上昇せず浴室２内に戻される。
【００５０】
なお、浴室２から吸い込まれた空気が温風用熱交換器１３によって加熱されず、そのまま（温度が上昇することなく）、浴室２内に戻された場合は、浴室２における室外への放熱などによって、浴室２内の温度は低下していくことになる。
【００５１】
したがって、ミスト噴霧を行いながら浴室暖房を実行する場合において、
（ａ）浴室暖房を実行したとき、浴室温度サーミスタＴＨ３による検出温度（浴室から吸い込んだ空気の温度）が、ミスト温度サーミスタ（ミスト用湯水温度検出部）ＴＨ１で検出される温度より高いとき、制御部Ｂが、熱動弁（暖房用温水通流制御部）１７を制御して暖房用温水管路１５を通流する暖房用温水の通流を遮断し、
（ｂ）また、浴室温度サーミスタＴＨ３による検出温度（浴室から吸い込んだ空気の温度）が、ミスト温度サーミスタＴＨ１（ミスト用湯水温度検出部）で検出される温度より低いとき、制御部Ｂが、暖房用開閉弁１７を制御して暖房用温水管路１５を通流する暖房用温水の通流を維持すること
によって、浴室２内の温度は、給湯手段（熱源機）１６から供給されるミスト用湯水の温度に制御されることになる。
【００５２】
また、ミスト噴霧を行わず浴室暖房を実行するときは、浴室内温度設定スイッチ４２によって暖房温度の設定を行う。
【００５３】
浴室内温度設定スイッチ４２を操作すると、浴室用の操作器３０が備える状態表示部４０に、ミスト噴霧を行わないときの浴室暖房に関する設定温度が表示される。
【００５４】
状態表示部４０への表示は、３７℃、３８℃、３９℃、４０℃、４１℃のように数字によるデジタル表示であってもよいし、Ｄ１、Ｄ２、Ｄ３、Ｄ４、Ｄ５のように、記号による表示であってもよい。
【００５５】
状態表示部４０への表示を、Ｄ１、Ｄ２、Ｄ３、Ｄ４、Ｄ５のように、記号で表示する場合には、取扱説明書に、
Ｄ１：概ね３７〜３８℃
Ｄ２：概ね３８〜３９℃
Ｄ３：概ね３９〜４０℃
Ｄ４：概ね４０から４１℃
Ｄ５：４１℃以上
に制御される旨を記載しておくことで、良好な使い勝手を確保することができる。
【００５６】
なお、この実施形態においては、状態表示部４０への表示は、３７℃、３８℃、３９℃、４０℃、４１℃のように数字により表示（デジタル表示）されるように構成されている。
【００５７】
そして、ミスト噴霧を行わずに浴室暖房を実行すると、浴室温度サーミスタＴＨ３による検出温度（浴室から吸い込んだ空気の温度）が、状態表示部４０に表示される温度（ミスト噴霧を行わいときの浴室暖房設定温度）より高い場合、制御部Ｂは、暖房用開閉弁（暖房用温水通流制御部）１７を制御して暖房用温水管路１５を通流する暖房用温水の通流を遮断する。
【００５８】
また、浴室温度サーミスタＴＨ３による検出温度（浴室から吸い込んだ空気の温度）が、状態表示部４０に表示される温度（ミスト噴霧を行わいときの浴室暖房設定温度）より低い場合、制御部Ｂは、暖房用開閉弁（暖房用温水通流制御部）１７を制御して暖房用温水管路１５を通流する暖房用温水の通流を維持する。
【００５９】
なお、この実施形態では、ミスト噴霧を行わずに浴室暖房を実行している場合において、浴室内ミストサウナスイッチ１３４を操作してミスト噴霧を開始すると、状態表示部４０に、ミスト温度サーミスタＴＨ１（ミスト用湯水温度検出部）で検出される温度が表示されるように構成されている。
【００６０】
上述のように、この実施形態にかかる浴用ミスト装置を備えた浴室暖房乾燥機Ａにおいては、ミスト噴霧を行いながら浴室暖房を実行したとき、浴室暖房によって浴室２内の温度が、給湯装置（熱源機１６）から供給されるミスト用湯水の温度に制御されるので、ミスト噴霧を行わずに浴室暖房を実行しているときに、浴室内ミストサウナスイッチ１３４を操作してミスト噴霧を開始すると、状態表示部４０に、ミスト温度サーミスタＴＨ１（ミスト用湯水温度検出部）で検出される温度を表示することで、使用者は、浴用ミスト装置の使用状況に応じた適切な、浴室暖房に係る設定温度についての情報を得ることが可能になり、使い勝手の良さを確保することができる。
【００６１】
また、この実施形態にかかる浴用ミスト装置を備えた浴室暖房乾燥機Ａは、ミスト用の液々熱交換器を必要としないので、従来の液々熱交換器を備えたものに比べて、製造コストの低減を図ることができる。
【００６２】
なお、本発明は、上記実施形態に限定されるものではなく、発明の範囲内において種々の応用、変形を加えることが可能である。
【符号の説明】
【００６３】
１        吸い込み口
２        浴室
３        吹き出し口
４（４ａ，４ｂ）    ミスト噴出手段（ミストノズル）
５        浴室外用（脱衣所用）の操作器
９        浴室暖房乾燥機本体
１２      グリル板
１３      温風用熱交換器
１４      送風機
１４ａ    循環ファン
１４ｂ    換気ファン
１６      給湯手段を兼ねる熱源機（暖房用温水供給用熱源機）
１７      暖房用開閉弁（暖房用温水通流制御部）
１８      可動ルーバー
１９      ミスト発生部
２０      ミスト用給湯管路
２１ａ    ミスト開閉弁
２１ｂ    ミスト開閉弁
２２      ストレーナ
２３      給湯電磁弁（給水開閉弁）
２７      湿度検出手段（湿度センサ）
２８      メモリ
２９      演算回路
３０      浴室内用の操作器
３１      浴室外用の操作器のタイマー表示部（時間表示部）
３２      タイマー設定スイッチ
３３      風向スイッチ
３４      浴室外用の操作器のミスト噴霧開始指令手段（ミストサウナスイッチ）
３６      暖房スイッチ
３７      涼風スイッチ
３８      換気スイッチ
３９      停止スイッチ
４０      浴室内用の操作器の状態表示部（暖房温度表示部）
４１      浴室内ミストスイッチ
４２      浴室内温度設定スイッチ（浴室内温度設定部）
５０      逆風止め
５１      往き配管
５２      往き配管接続部
６１      戻り配管
６２      戻り配管接続部
１３４    浴室内用の操作器のミスト噴霧開始指令手段（浴室内ミストサウナスイッチ）
１３６    浴室内暖房スイッチ
１３７    浴室内涼風スイッチ
１３９    浴室内停止スイッチ
Ａ        浴室暖房乾燥機
Ｂ        制御部
ＴＨ１    ミスト用湯水温度検出部（ミスト温度サーミスタ）
ＴＨ２    往き温水温度検出部（暖房温水サーミスタ）
ＴＨ３    浴室温度検出部（浴室温度サーミスタ）
【図１】
2018076972.tif 000003
【図２】
2018076972.tif 000004
【図３】
2018076972.tif 000005
【図４】
2018076972.tif 000006
【図５】
2018076972.tif 000007
【図６】
2018076972.tif 000008